(57)【要約】【解決手段】a)胴筒体115と針ユニットホルダー120の間に、同ホルダーを前方に付勢する主バネ124が介装されると共に、針ユニットホルダーとチャージケース118の間に、同ホルダーを後方に付勢する補助バネ122が介装されている。b)可動片回動バネ154の後部は補助バネ122の内部に配されている。【効果】a)により、穿刺針をキャップから瞬間的にかつ強制的に突出させ次いで素早く後退させることができる。したがって、針や測定器の微振動もしくはバネの微振動や衝撃が長い時間指先に伝わるという問題を解決することができ、もって患者が受ける痛みを極力緩和することができる。b)により、補助バネ122のリリース状態の長さおよび有効巻数を大きく取ることができ、ピッチ角を小さくすることができる。この点でも、キャップから突出した穿刺針を素早く後退させることができる。【選択図】    図２
2005124998.tif 000002
【特許請求の範囲】
【請求項１】
胴筒体(115)と、胴筒体の後端部に前後動自在に設けられたチャージケース(118)とから
なるハウジング(101)内に、先端に針ユニット(119)を着脱自在に保持し、かつ針ユニット
を前方へ押す針押し棒(123)を前後摺動自在に保持する針ユニットホルダー(120) がハウ
ジングに対し前後動自在に収められ、
胴筒体と針ユニットホルダーの間に、同ホルダーを前方に付勢する主バネ(124)が介装
されると共に、針ユニットホルダーとチャージケースの間に、同ホルダーを後方に付勢す
る補助バネ(122)が介装され、
チャージケースは、これを胴筒体に対し後退させることにより主バネに針ユニットホル
ダーを前進させる付勢力を与えると共に補助バネに針ユニットホルダーを後退させる付勢
力を与え、
ハウジングに、内方突部(152)を有する針ユニット押し片(151)が前後摺動自在に設けら
れ、
内方突部に傾斜角可変の可動片(153)が回動自在に支承され、
可動片と針ユニットホルダーの後端部の間に、可動片の先端が針押し棒と当接する方向
に可動片を回すように付勢する可動片回動バネ(154)が介装され、
可動片は、針ユニット押し片が可動片回動バネの付勢力に抗して前方へ押されることに
より、針押し棒と当接してこれを前方へ押し、もって使用済み針ユニットを針ユニットホ
ルダーから排出し、その後は可動片回動バネの付勢力により元の位置に戻され、
可動片回動バネの後部は補助バネの内部に配されている、
穿刺具。
【請求項２】
さらに、可動片回動バネの中間部が主バネの内部に通されている、請求項１記載の穿刺
具。
【発明の詳細な説明】
【技術分野】
【０００１】
この発明は、例えば血液検査の際に指先等の生体部位から血液を採る際に用いられる穿
刺具に関するものである。
【背景技術】
【０００２】
近年、糖尿病患者は増加傾向にあり、患者自らが血糖値測定器を用いて血糖値を測定・
管理する方法が主流となりつつある。測定に当たり患者は自分の指先から測定用の血液を
採るが、この際、穿刺針を備えた穿刺具を用いて指先の皮膚に針を突き刺し、穿刺部周辺
を圧迫して血液を絞り出す。
【０００３】
従来の穿刺具は、先端に穿刺針を備えたプランジャーをハウジング内で一つのコイルバ
ネで前進させ、針を指先表面に穿刺するものであった。しかしこの構造では穿刺の際に針
に大きな突き出し力を与えるようにバネの付勢力を調節すると、針がハウジング内に戻り
にくくなり、逆に針がハウジング内に確実に戻るようにすると穿刺可能な大きい突き出し
力が得られなくなるため、使い勝手が悪い上に患者に痛みを生じ易い。
【０００４】
最近、穿刺針を備えたプランジャーを先端方向と後端方向とで別々のバネを用いて付勢
する構成の穿刺具が提案され、市販されている（特許文献１参照）。しかし、この穿刺具
でも穿刺の際は患者に痛みを伴う。
【０００５】
またランセット押出し機構を備えた穿刺具も提案されている（特許文献２参照）。しか
し、この穿刺具では穿刺針をハウジング先端から素早く飛び出させられない難点がある。
【特許文献１】特開２０００−２４５７１７号公報の［発明の実施の形態］の欄および図１。
【特許文献２】特開昭３−１４１９２９号公報の［発明の実施の形態］の欄および図１。
【発明の開示】
【発明が解決しようとする課題】
【０００６】
特許文献１の構成の穿刺具で穿刺の際に患者に痛みが生じる原因は、つぎのように考え
られる。すなわち、この穿刺具は、１つのプランジャーの前進と後退によりこれの先端に
設けられた穿刺針がハウジングから突出しついでハウジングに戻るように構成されている
ので、針を指先表面に穿刺させるにはプランジャーを前進させるバネの付勢力の方が、プ
ランジャーを後退させる付勢力よりも大きくなければならない。プランジャーを後退させ
るバネの付勢力が小さいと、針が指先から戻る際、指先が針や測定器の微振動を長い時間
受けることになり、これが痛みをもたらす。また、穿刺針が突出から戻りに切り替わる時
に戻りの付勢力が小さいため、この切り替わりはバネがある程度伸びた時点でなされる必
要があり、その結果ハウジング内でのプランジャーの移動距離が長くなり、バネの微振動
や衝撃が指先に伝わり易く、これが痛みの原因となる。
【０００７】
この発明の課題は、上記の実状に鑑み、穿刺針を備えたプランジャーの戻り力を強化し
てその移動距離を短くし、針や測定器の微振動もしくはバネの微振動や衝撃が長い時間指
先に伝わることがないようにし、もって患者が受ける痛みを極力緩和することができる穿
刺具を提供することである。
【０００８】
なお、特許請求の範囲および明細書全体を通して、前方ないしは先端方向とは、穿刺の
際に針が穿刺具から突出する方向、すなわち図３における左方向をいい、上下左右関係は
図３を基準とする。
【課題を解決するための手段】
【０００９】
この発明による穿刺具は、上記課題を解決すべく工夫されたものであり、
胴筒体(115)と、胴筒体の後端部に前後動自在に設けられたチャージケース(118)とから
なるハウジング(101)内に、先端に針ユニット(119)を着脱自在に保持し、かつ針ユニット
を前方へ押す針押し棒(123)を前後摺動自在に保持する針ユニットホルダー(120) がハウ
ジングに対し前後動自在に収められ、
胴筒体と針ユニットホルダーの間に、同ホルダーを前方に付勢する主バネ(124)が介装
されると共に、針ユニットホルダーとチャージケースの間に、同ホルダーを後方に付勢す
る補助バネ(122)が介装され、
チャージケースは、これを胴筒体に対し後退させることにより主バネに針ユニットホル
ダーを前進させる付勢力を与えると共に補助バネに針ユニットホルダーを後退させる付勢
力を与え、
ハウジングに、内方突部(152)を有する針ユニット押し片(151)が前後摺動自在に設けら
れ、
内方突部に傾斜角可変の可動片(153)が回動自在に支承され、
可動片と針ユニットホルダーの後端部の間に、可動片の先端が針押し棒と当接する方向
に可動片を回すように付勢する可動片回動バネ(154)が介装され、
可動片は、針ユニット押し片が可動片回動バネの付勢力に抗して前方へ押されることに
より、針押し棒と当接してこれを前方へ押し、もって使用済み針ユニットを針ユニットホ
ルダーから排出し、その後は可動片回動バネの付勢力により元の位置に戻され、
可動片回動バネの後部は補助バネの内部に配されている、
穿刺具である。
【００１０】
可動片回動バネはさらに、可動片回動バネの中間部が主バネの内部に通されていること
が好ましい。
【００１１】
この発明による好ましい穿刺具は、押釦孔(113)を有する胴筒体(115)と、胴筒体の先端
に着脱自在に設けられ、かつ先端に針通過孔(111)を有するキャップ(112)と、胴筒体に外
装され、かつ押釦孔(113)を臨む押し釦(116)を有する胴カバー(117)と、胴筒体の後端部
に前後動自在に設けられたチャージケース(118)とからハウジング(101)が構成され、
ハウジング(101)内に、先端に針ユニット(119)を着脱自在に保持し、かつ針ユニット(1
19)を前方へ押す針押し棒(123)を前後摺動自在に保持する針ユニットホルダー(120)がハ
ウジングに対し前後動自在に収められ、
胴筒体(115)と針ユニットホルダー(120)の間に、同ホルダーを前方に付勢して、針ユニ
ット(119)の穿刺針(125)を針通過孔(111)から突き出させる主バネ(124)が介装されると共
に、針ユニットホルダーとチャージケース(118)の間に、同ホルダーを後方に付勢して、
前進した針ユニットホルダーを後退させて、穿刺針(125)をキャップ(112)内に収める補助
バネ(122)が介装され、
チャージケース(118)は、これを胴筒体(115)に対し後退させることにより主バネ(124)
に針ユニットホルダー(120)を前進させる付勢力を与えると共に補助バネ(122)に針ユニッ
トホルダーを後退させる付勢力を与える、
穿刺具であって、
胴カバー(117)に、内方突部(152)を有する針ユニット押し片(151)が前後摺動自在に設
けられ、
内方突部(152)に傾斜角可変の可動片(153)が回動自在に支承され、
可動片(153)と針ユニットホルダー(120)の後端部の間に、可動片の先端が針押し棒(123
)と当接する方向に可動片を回すように付勢する可動片回動バネ(154)が介装され、
可動片(153)は、針ユニット押し片(151)が可動片回動バネ(154)の付勢力に抗して前方
へ押されることにより、針押し棒(123)と当接してこれを前方へ押し、もって使用済み針
ユニット(119)を針ユニットホルダー(120)から排出し、その後は可動片回動バネ(154)の
付勢力により元の位置に戻されると共に、胴筒体(115)の内面傾斜部(155)との接触により
反当接方向に回されて針押し棒(123)との干渉が避けられ、
可動片回動バネ(154)の後部は補助バネ(122)の内部に配されている、
穿刺具である。
【発明の効果】
【００１２】
この発明では、胴筒体(115)と針ユニットホルダー(120)の間に、同ホルダーを前方に付
勢する主バネ(124)が介装されると共に、針ユニットホルダーとチャージケース(118)の間
に、同ホルダーを後方に付勢する補助バネ(122)が介装されているので、穿刺針をキャッ
プから瞬間的にかつ強制的に突出させ次いで素早く後退させることができる。したがって
、針や測定器の微振動もしくはバネの微振動や衝撃が長い時間指先に伝わるという問題を
解決することができ、もって患者が受ける痛みを極力緩和することができる。
【００１３】
加えて、可動片回動バネ(154)の後部は補助バネ(122)の内部に配されているので、補助
バネ(122)のリリース状態の長さおよび有効巻数を大きく取ることができ、ピッチ角を小
さくすることができる。この点でも、キャップから突出した穿刺針を素早く後退させるこ
とができる。また、穿刺具の径を小さくでき、穿刺具のコンパクト化がなし得る。可動片
回動バネが主バネの内部にも配されていると、穿刺具のさらなるコンパクト化がなし得る
。
【発明を実施するための最良の形態】
【００１４】
つぎに、この発明を図示の実施例に基づいて具体的に説明する。
【００１５】
図１〜７において、この発明による穿刺具は、ハウジング(101)と、その内部に収めら
れた針ユニット前後動機構(102)および針ユニット排出機構(103)とから構成されている。
【００１６】
ハウジング(101)は、上部に押釦孔(113)を有する胴筒体(115)と、胴筒体(115)の先端部
に着脱自在に設けられ、かつ先端面中央に針通過孔(111)を有するキャップ(112)と、胴筒
体(115)に外装され、かつ押釦孔(113)を臨む押し釦(116)を有する胴カバー(117)と、胴筒
体(115)の後端部に胴筒体に対し前後動自在に設けられたチャージケース(118)とから構成
されている。キャップ(112)の後端部は胴筒体(115)の前端部に着脱自在に嵌め被せられ、
チャージケース(118)の前端部は胴カバー(117)の後端部に嵌め被せられている。
【００１７】
胴筒体(115)は有底円筒状であって、後端壁部(171)に針ユニットホルダー(120)の上下
一対の角棒部(165)(166)、可動片回動バネ(154)およびその係止突部(169)を通す透孔(172
)が開けられ、後端壁部(171)の前面で主バネ(124)の後端を受ける。
【００１８】
胴カバー(117)の上部に設けられた押し釦(116)は弾性変形可能な材料で形成されており
、ケーシング部(182)とこれに内方突状に設けられかつ押釦孔(113)を臨む下向き舌部(183
)とからなり、ケーシング部(182)を下方に押すことにより舌部(183)が押釦孔(113)に入り
込む。チャージケース(118)は胴筒体(115)に対し後方へ引かれた後、この状態が保持され
る。チャージケース(118)の長さ中央部内面には補助バネ(122)の前端を受ける環状の補助
バネ前端受け片(161)が固定され、その環内に針ユニットホルダー(120)の上下一対の角棒
部(165)(166)、可動片回動バネ(154)およびその係止突部(169)が通されている。
【００１９】
胴筒体(115)にバネストッパ(114)が内方突出状に設けられている。バネストッパ(114)
は胴筒体(115)とは別体の欠リング(158)の内面に複数形成されており、欠リング(158)を
胴筒体(115)の外面に円周方向に形成された凹溝(159)に嵌込むと共に、凹溝(159)に形成
された複数の透孔(160)にバネストッパ(114)を差し込むことにより、胴筒体(115)に内方
突出状に設けられている。欠リング(158)は胴カバー(117)が胴筒体(115)に外装されてい
るため、凹溝(159)から抜け出ない。バネストッパ(114)は、針ユニットホルダー(120)の
前進時に主バネ(124)のリリースを所定長さ以内に抑えるように、主バネ(124)の前端が当
たる位置にある。
【００２０】
針ユニット前後動機構(102)はつぎのように構成されている。
【００２１】
上述したように、押釦孔(113)およびこれを臨む押し釦(116)並びにバネストッパ(114)
を備えたハウジング(101)内に、先端に針ユニット(119)を着脱自在に保持し、かつ針ユニ
ット(119)を前方へ押し出す針押し棒(123)を摺動自在に有する針ユニットホルダー(120)
が、ハウジングに対し前後動自在に収められている。針ユニット(119)は円柱状であって
、その先端面中央には穿刺針(125)が前方突状に取付けらている。針ユニット(119)の後半
部(104)は、針ユニットホルダー(120)の前端部に形成された有底円筒状のユニット保持部
(162)内に収められている。
【００２２】
針押し棒(123)は円板部とこれの後面に垂直に設けられた断面Ｔ字状の摺動部とからな
り、摺動部の水平部(181)が、ユニット保持部(162)の後壁部から後方に伸びるように形成
された長孔(180)内に摺動自在に配され、円板部が針ユニット(119)の後半部(104)の後端
面とユニット保持部(162)の後壁部の間に挟まれる。
【００２３】
針ユニットホルダー(120)の上側部に後方に伸びる可撓部(164)が一体的に設けられ、そ
の先端に係止突部(121)が外方突出状に形成されている。係止突部(121)は、可撓部(164)
の弾性により内外方向すなわち半径方向に可動であり、同ホルダーの後退状態では押釦孔
(113)に嵌まり込んで針ユニットホルダー(120)の前後動を阻止する。
【００２４】
針ユニットホルダー(120)の長さ中央下部には、後述する可動片(152)の水平ピン(106)(
184)のうち長い方（正面からみて左側）の水平ピン(106)を前後方向に案内する長孔(170)
が開けてある。
【００２５】
針ユニットホルダー(120)の後半部は上下一対の角棒部(165)(166)からなり下側角棒部(
166)の前端下面に主バネ(124)の後端を受ける段部(167)が設けられ、一対の角棒部(165)(
166)の後端に補助バネ(122)の後端を受ける補助バネ後端受け片(168)が固定され、一対の
角棒部(165)(166)の後端寄り架橋部に可動片回動バネ(154)の後端を掛け止める係止突部(
169)が設けられている。
【００２６】
主バネ(124)は圧縮コイルバネであって、上下一対の角棒部(165)(166)を外装し、かつ
常態では胴筒体(115)の後端壁部(171)と針ユニットホルダー(120)の段部(167)との間に介
装され、針ユニットホルダー(120)を前方に付勢する。
【００２７】
補助バネ(122)も圧縮コイルバネであって、上下一対の角棒部(165)(166)を外装し、か
つ針ユニットホルダー(120)の補助バネ後受け片(168)とチャージケース(118)の補助バネ
前受け片(161)との間に介装され、針ユニットホルダー(120)を後方に付勢する。補助バネ
(122)は常に主バネ(124)の後方に位置する。
【００２８】
可動片回動バネ(154)は引張りコイルバネであって、その中間部は主バネ(124)内に通さ
れ、後端部は補助バネ(122)内に配されている。このような配置により、穿刺具の径を小
さくでき、穿刺具のコンパクト化がなし得る。
【００２９】
針ユニット前後動機構(102)は下記のように操作される。
【００３０】
まず、図３に示す穿刺操作開始前に、針ユニットホルダー(120)のユニット保持部(162)
内に新しい針ユニット(119)の後半部(104)を収める。チャージケース(118)は胴筒体(115)
に対し最も前進した位置にあり、針ユニットホルダー(120)の係止突部(121)は胴筒体(115
)の釦孔(113)から出てこれの前方に位置する。主バネ(124)、補助バネ(122)および可動片
回動バネ(154)はいずれもリリース状態にある。
【００３１】
図４に示すように、チャージケース(118)を胴筒体(115)に対し後方に引くと、これに伴
って補助バネ(122)が圧縮されると共に、針ユニットホルダー(120)が後退させられ、その
係止突部(121)が胴筒体(115)の釦孔(113)に嵌まり込んで針ユニットホルダー(120)の前進
を阻止する。主バネ(124)も圧縮される。主バネ(124)の圧縮により、針ユニットホルダー
(120)を前進させる付勢力が生じると共に、補助バネ(122)の圧縮により、針ユニットホル
ダー(120)を後退させる付勢力が生じる。このようにチャージケース(118)を後退させ、主
バネ(124)および補助バネ(122)を圧縮させた状態、すなわちチャージ状態を保持しておく
。
【００３２】
図５において、チャージ状態のチャージケース(118)をリリースすると、チャージケー
ス(118)は補助バネ(122)の付勢力によって前進させられ、図３に示す状態に戻る。この状
態でつぎの穿刺操作を待機する。
【００３３】
図６において、押し釦(116)を押して係止突部(121)を押釦孔(113)から離脱させる。そ
の結果、主バネ(124)の前方付勢力により針ユニットホルダー(120)は前進させられ、針ユ
ニット(119)の穿刺針(125)はキャップ(112)の針通過孔(111)および先端カバー(176)の針
通過孔(179)を経て先端カバー(176)から前方へ所定長さ突き出され、指先の皮膚に突き刺
される。
【００３４】
この穿刺状態では、胴筒体(115)のバネストッパ(114)は針ユニットホルダー(120)の段
部(167)より後方に位置する。その結果、主バネ(124)の前端はバネストッパ(114)に当た
り、主バネ(124)のリリース長さは完全なリリース状態の長さより短く抑えられる。主バ
ネ(124)は、補助バネ(122)による針ユニット(119)の後方への戻りを阻むように作用する
が、この主バネ(124)による針ユニット(119)の後方戻り阻止力は、バネストッパ(114)の
設置により、主バネ(124)の完全なリリース状態からバネストッパ(114)に当たった長さの
分だけ、抑えられる。そのため、針ユニット(119)は補助バネ(122)の後方付勢力により素
早く後退させられる。また、主バネ(124)が完全にリリースされ、さらに前方へ移動して
その前端が針ユニットホルダー(120)の段部(167)に当たったり跳ね返ったりすると、衝撃
音や振動音が発生するが、このような雑音の発生はバネストッパ(114)の設置により防が
れる。
【００３５】
穿刺後、針ユニットホルダー(120)は補助バネ(122)の後方付勢力により後退させられ、
針ユニット(119)の穿刺針(125)はキャップ(112)内に収められ、図３の状態に戻る。
【００３６】
つぎに針ユニット排出機構(103)について説明をする。
【００３７】
針ユニット排出機構(103)において、胴カバー(117)の下部に、左右一対の内方突部(152
)を後端内面に有する針ユニット押し片(151)が、胴カバー(117)に対し前後摺動自在に設
けられている。内方突部(152)は胴筒体(115)の内部に位置する。内方突部(152)に傾斜角
可変の可動片(153)が回動自在に支承されている。可動片(153)は、側方から見てＬ字状で
あって、後端下部に両側方に突出した水平ピン(106)(184)を有し（正面からみて左のピン
(106)が右より長い）、これら水平ピン(106)(184)が一対の内方突部(152)の前側に配され
、可動片(153)が内方突部(152)に回動自在に支承されている。長い方の水平ピン(106)の
先端部は、これを前後方向に案内する長孔(170)に入っている。
【００３８】
可動片(153)の後端上側部に設けられた係止突部(105)に可動片回動バネ(154)の前端が
掛け止められ、可動片(153)と針ユニットホルダー(120)の後端部の間に引張りバネである
可動片回動バネ(154)が介装されている。可動片回動バネ(154)は可動片(153)の先端が針
押し棒(123)の後端面と当接する方向（図３の状態から時計方向）に可動片(153)を回すよ
うにこれを付勢する。可動片回動バネ(154)の設置により、使用済み針ユニット(119)の排
出後、可動片(153)を元の位置に素早く戻すことができる。また、可動片回動バネ(154)の
後端部は、上述したように補助バネ(122)の内部を貫通する状態で設けられるので、補助
バネ(122)のリリース状態の長さおよび有効巻数を大きく取ることができ、ピッチ角も１
０度以下にすることができる。バネ指数Ｄ／ｄは４〜３０、好ましくは８〜１４である（
Ｄはコイル径、ｄは線径）。
【００３９】
針ユニット排出機構(103)は下記のように操作される。
【００４０】
図７において、針ユニット押し片(151)を可動片回動バネ(154)の付勢力に抗して前方へ
押す。それにより、可動片(153)は長孔(170)に案内されて前進し、その前端は針押し棒(1
23)の後端面と当接してこれを前方へ押す。その結果、使用済み針ユニット(119)は針ユニ
ットホルダー(120)から排出される。
【００４１】
その後は、針ユニット押し片(151)をリリースすると、可動片(153)は可動片回動バネ(1
54)の付勢力により元の位置に戻されると共に、胴筒体(115)の下部内面傾斜部(155)との
接触により反当接方向（図７の状態から反時計方向）に回され、針押し棒(123)との干渉
が避けられる。
【００４２】
つぎに、穿刺具の痛み緩和機構について説明をする。
【００４３】
キャップ(112)の先端小径部には外周面に緩やかな螺旋溝(175)が形成され、前端側部に
内方突部(173)を有する針突出調節用の円環(174)がキャップ(112)の先端小径部に嵌め被
せられ、内方突部(173)が螺旋溝(175)内に配され、カム機構が構成されている。すなわち
、キャップ(112)に対して円環(174)を回すことにより、円環(174)が前後動させられる。
円環(174)の上に、先端面に多数の尖突部(178)を有しかつ先端壁中央に針通過孔(179)を
有する先端カバー(176)が被せられ、その内面凹部に円環(174)前端の係合突部(177)が嵌
合されている。先端カバー(176) の針通過孔(179) はキャップ(112) の針通過孔(111)に
重なるように設けられている。したがって、先端カバー(176)を回すと、これに伴って円
環(174)が回り、円環(174)の前後動に伴って先端カバー(176)も前後動し、穿刺針(125)の
先部がキャップ(112) の針通過孔(111) および先端カバー(176)の針通過孔(179)を経て先
端カバー(176)から突出する長さが調節される。
【００４４】
この痛み緩和機構によれば、先端カバー(176)を患者の指先に押圧し、穿刺針(125)の先
部を指先に突き刺す際に、先端カバー(176)の多数の尖突部(178)が指先に弱い痛みをもた
らし、これにより穿刺針(125)による痛みが分散され緩和される。
【図面の簡単な説明】
【００４５】
【図１】穿刺具の斜視図である。
【図２】穿刺具の分解状態を示す斜視図である。
【図３】穿刺開始操作前の状態を示す穿刺具の垂直縦断面図である。
【図４】チャージ状態を示す穿刺具の垂直縦断面図である。
【図５】待機状態を示す穿刺具の垂直縦断面図である。
【図６】穿刺状態を示す穿刺具の垂直縦断面図である。
【図７】針ユニット排出状態を示す穿刺具の垂直縦断面図である。
【符号の説明】
【００４６】
(115)：胴筒体
(118)：チャージケース
(101)：ハウジング
(119)：針ユニット
(123)：針押し棒
(120)：針ユニットホルダー
(124)：主バネ
(122)：補助バネ
(152)：内方突部
(151)：針ユニット押し片
(153)：可動片
(154)：可動片回動バネ
【図１】
2005124998.tif 000003
【図２】
2005124998.tif 000004
【図３】
2005124998.tif 000005
【図４】
2005124998.tif 000006
【図５】
2005124998.tif 000007
【図６】
2005124998.tif 000008
【図７】
2005124998.tif 000009